(57)【要約】【目的】本発明は、推進工法おいて使用される掘進機の先端に装備した面板を回転させるためのモ−タを含む駆動機構部の管理方法を提供するものである。【構成】本発明は、先端に地山を掘削する掘進機を設け、掘進機の後端に接続した推進管列を地中に埋設していく推進工法で、掘進機先端に装備した面板を回転させるためのモータを含む駆動機構部の管理方法において、電源と掘進機モータの動力電線間に電流測定器を設け、前記電流測定器で測定した電流値のデータを計測ケ−ブルを介して記録装置に送ることにより、モータの総運転時間とともに過負荷運転の時間を測定して管理する掘進機の駆動機構部の管理方法である。【選択図】　　　　図１
2004084206.tif 000002
【特許請求の範囲】
【請求項１】
先端の地山を掘削する掘進機を設け、掘進機の後端に接続した推進管列を地中に埋設していく推進工法で、掘進機先端に装備した面板を回転させるためのモータを含む駆動機構部の管理方法において、
電源と掘進機モータの動力電線間に電流測定器を設け、前記電流測定器で測定した電流値のデータを計測ケ−ブルを介して記録装置に送ることにより、モータの総運転時間とともに過負荷運転の時間を測定して管理することを特徴とした掘進機の駆動機構部の管理方法。
【発明の詳細な説明】
【０００１】
【発明の属する技術分野】
本発明は、地面を掘削することなく、地中に上下水道や電気などの管を埋設する推進工法で、掘進機先端に装備した面板を回転させるためのモータを含む駆動機構部の管理方法に関するものである。
【０００２】
【従来技術】
推進工法は、複数個の掘削刃を取り付けた面板を装備した掘進機を推進管の先頭に取り付け、発進立坑側から面板により地盤を掘削しながら、掘進機に後続した推進管を、発進立孔内に設置した元押しジャッキにより、地中に押し込みながら推進埋設していく方法である。掘進機先端の面板は、回転を与えることによって面板に装備した複数個の切削刃によって地盤を切削する。面板の回転は、掘進機内の隔壁後方に設けたモータから回転軸を介して伝達される。面板にかかる回転力の大きさは、土質条件、土被りにより変化し、比較的土質条件が安定している地盤では常に定格電流内で運転ができ、礫や玉石混じりの地盤では定格電流を越えた過負荷状態で運転が行われることがある。頻繁な過負荷運転は、ギア、軸受けの疲労やモータコイルの焼け付け等を招来する。しかし、通常は掘進機の総運転時間を示すアワーメータが設置されているだけであり、掘進機のモータをはじめ機械器具の保守点検をおこなう上で重要な運転状況についての情報が少ないという問題があった。
【０００３】
【発明が解決しようとする課題】
掘進機の整備は、一現場毎に行うことが理想的であるが、推進工法では前記したように通常得られている総運転時間により、所定の連続運転時間を決めて定期点検及び整備を行っていた。しかし、頻繁な過負荷運転を行った掘進機は、所定の連続運転時間を超える前にギア、軸受けの疲労やモータコイルの焼け付けが発生している場合が多く、新たな工事現場に搬入されて推進施工中に故障が発生するという問題がおきていた。掘進機が地中を掘進中に故障することが多く、推進作業を停止して狭い掘進機内での修理作業が考えられるが、安全性や作業性の面からも問題がある。このため、掘進機を発進立坑内まで引き戻し、工場等で分解、修理する方法が採用されるが、掘進機を発進立坑内まで引き戻すための設備作業や修理中の推進停止による工期の遅延が発生することや、引き抜き設備費用や引き抜き作業等の余分な費用が必要となるという問題がある。
【０００４】
このため、本発明は、推進工法において掘進機先端に装備した面板を回転させるモータを含む、駆動機構部を効率良く確実に点検、修理できる管理方法を提供するものである。
【０００５】
【課題を解決するための手段】
すなわち本発明は、先端に地山を掘削する掘進機を設け、掘進機の後端に接続した推進管列を地中に埋設していく推進工法で、掘進機先端に装備した面板を回転させるためのモータを含む駆動機構部の管理方法において、
電源と掘進機モータの動力電線間に電流測定器を設け、前記電流測定器で測定した電流値のデータを計測ケ−ブルを介して記録装置に送ることにより、モータの総運転時間とともに過負荷運転の時間を測定して管理する掘進機の駆動機構部の管理方法である。
【０００６】
電源と掘進機モータの動力電線間に設けられる電流測定器とは、一般に使用されている電流センサーや計器用の変換器が用いられる。電流測定器で計測された電流値のデータは、記録装置に送られ、メーターリレーを介してタイマーカウンターに制御されたり、ＡＤ変換器やＰＣＬ（プログラマブル　ロジック　コントロ−ラ）などを通して電流値を媒体に記録させる。これらのデータは、パソコンに送られてディスプレイ上にグラフ表示したり、数値表示することができる。
【０００７】
このような管理方法を講じることにより、掘進機面板モ−タの過負荷運転時間を正確に判断することが可能となり、整備時に効率の良い点検、修理が行える。また、運転記録として残るため、推進施工中に無理な過負荷運転を行わなくなり、長期間にわたって掘進機が使用できるようになる。
【０００８】
【発明の実施の形態】
以下、本発明の実施形態を図面を基に説明する。図１は、本発明の一実施形態である掘進機の駆動機構部の管理方法を説明する模式図である。推進工法に用いられる掘進機は、掘進機先端に設けた面板に回転を与えることによって、面板に装備した切削刃によって地盤を切削する。面板の回転は、掘進機内の隔壁後方に設置したモ−タ２から回転軸を介して伝達される。モ−タ２は、動力電線４を介して掘進機制御盤６の電源３に接続されている。掘進機制御盤６内の動力電線４には、電流測定器１が設けられている。電流測定器１は、計測ケ−ブル７を介して記録装置５に接続されている。
【０００９】
電流測定器１としては、一般に使用されている電流センサ−や計測用の変換器を用いることができる。電流測定器１で計測された電流値のデ−タは、計測ケ−ブルを通じて記録装置に送られ、メ−タ−リレ−を介してタイマ−カウンタ−に制御されたり、ＡＤ変換器やＰＬＣ（プログラマブル　ロジック　コントロ−ラ）などを通じて電流値を媒体に記録させる。
【００１０】
図２は、計測した電流値を時系列的に示すグラフである。縦軸に電流値、横軸に時間をとり、定格電流を超えた過負荷状態での運転時間が明確に判断できるようになっている。
【００１１】
図３は、計測した電流値の頻度を示す頻度グラフである。縦軸に累積時間、横軸に電流値をとり、電流値を分類することにより定格電流値を超えた運転時間を正確に知ることができる。
【００１２】
【発明の効果】
上記したように、電流値のデ−タを時系列的グラフにしたり、頻度グラフにすることによって、定格電流を超えた過負荷運転時間が正確に判断することができ、下記の効果がある。
▲１▼点検整備時のグレ−ドの判断の根拠となる。
▲２▼運転記録が残るので、掘進機の無理な運転をしなくなる。
▲３▼掘進機の選定が、現場の条件に適合していたかどうかの判断材料となる。
▲４▼次回の現場投入の参考情報となる。
▲５▼掘進機の新規製作／改造時の仕様決定の参考情報となる。
【００１３】
【図面の簡単な説明】
【図１】本発明の一実施形態である掘進機の駆動機構部の管理方法を説明する模式図である。
【図２】本発明の電流値管理方法である負荷−時系列グラフである。
【図３】本発明の電流値管理方法である頻度グラフある。
【符号の説明】
１　　　　　　　電流測定器
２　　　　　　　モ−タ
３　　　　　　　電源
４　　　　　　　動力電線
５　　　　　　　記録装置
６　　　　　　　掘進機制御盤
７　　　　　　　計測ケ−ブル
【図１】
2004084206.tif 000003
【図２】
2004084206.tif 000004
【図３】
2004084206.tif 000005